【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
セルにおいて、複数のリソースブロックペアで構成されるサブフレームを用いて、端末と通信する基地局であって、
前記端末に対する制御情報を、第１の制御チャネルが配置される第１の制御チャネル領域とは異なって設定される第２の制御チャネル領域に配置される第２の制御チャネルで送信する送信部を備え、
前記第１の制御チャネル領域は、前記サブフレームにおいて前記セルに固有の領域であり、前記第２の制御チャネル領域は、前記サブフレームにおいて前記端末に固有に設定される領域である、基地局。
【請求項２】
前記第１の制御チャネル領域は、前記サブフレームにおいて、ＰＣＦＩＣＨに基づいて与えられる領域であり、
前記第２の制御チャネル領域は、前記サブフレームにおいて、スタートＯＦＤＭシンボルによって示されるＯＦＤＭシンボルから、最後のＯＦＤＭシンボルまでの領域である、請求項１に記載の基地局。
【請求項３】
前記スタートＯＦＤＭシンボルは、ＲＲＣのシグナリングを通じて前記端末に設定される、請求項２に記載の基地局。
【請求項４】
前記スタートＯＦＤＭシンボルは、前記ＰＣＦＩＣＨに基づいて決定される、請求項２に記載の基地局。
【請求項５】
前記第２の制御チャネルは、前記端末に対する共有チャネルとは異なるリソースブロックペアに配置される、請求項１に記載の基地局。
【請求項６】
前記端末が前記第２の制御チャネルをモニタリングするサブフレームを、前記端末に設定する、請求項１に記載の基地局。
【請求項７】
前記第２の制御チャネルのモニタリングは、前記セル毎に個別に設定される、請求項１に記載の基地局。
【請求項８】
セルにおいて、複数のリソースブロックペアで構成されるサブフレームを用いて、端末と通信する基地局であって、
前記端末に対する制御情報を、第１の制御チャネル領域に配置される第１の制御チャネルまたは第２の制御チャネル領域に配置される第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第１の制御チャネルまたは前記第２の制御チャネルで送信され、
前記第１の制御チャネル領域は、前記サブフレームにおいて前記セルに固有の領域であり、前記第２の制御チャネル領域は、前記サブフレームにおいて前記端末に固有に設定される領域である、基地局。
【請求項９】
セルにおいて、複数のリソースブロックペアで構成されるサブフレームを用いて、端末と通信する基地局であって、
前記端末に対する制御情報を、第１の制御チャネル領域に配置される第１の制御チャネルまたは第２の制御チャネル領域に配置される第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第２の制御チャネルで送信され、
前記第１の制御チャネル領域は、前記サブフレームにおいて前記セルに固有の領域であり、前記第２の制御チャネル領域は、前記サブフレームにおいて前記端末に固有に設定される領域である、基地局。
【請求項１０】
セルにおいて、複数のリソースブロックペアで構成されるサブフレームを用いて、基地局と通信する端末であって、
第１の制御チャネルが配置される第１の制御チャネル領域とは異なって設定される第２の制御チャネル領域に配置される第２の制御チャネルをモニタリングし、前記第２の制御チャネルで送信される前記端末に対する制御情報を受信する受信部を備え、
前記第１の制御チャネル領域は、前記サブフレームにおいて前記セルに固有の領域であり、前記第２の制御チャネル領域は、前記サブフレームにおいて前記端末に固有に設定される領域である、端末。
【請求項１１】
前記第１の制御チャネル領域は、前記サブフレームにおいて、ＰＣＦＩＣＨに基づいて与えられる領域であり、
前記第２の制御チャネル領域は、前記サブフレームにおいて、スタートＯＦＤＭシンボルによって示されるＯＦＤＭシンボルから、最後のＯＦＤＭシンボルまでの領域である、請求項１０に記載の端末。
【請求項１２】
前記スタートＯＦＤＭシンボルは、ＲＲＣのシグナリングを通じて前記端末に設定される、請求項１１に記載の端末。
【請求項１３】
前記スタートＯＦＤＭシンボルは、前記ＰＣＦＩＣＨに基づいて決定される、請求項１１に記載の端末。
【請求項１４】
前記第２の制御チャネルは、前記端末に対する共有チャネルとは異なるリソースブロックペアに配置される、請求項１０に記載の端末。
【請求項１５】
前記端末が前記第２の制御チャネルをモニタリングするサブフレームが、設定される、請求項１０に記載の端末。
【請求項１６】
前記第２の制御チャネルのモニタリングは、前記セル毎に個別に設定される、請求項１０に記載の端末。
【請求項１７】
セルにおいて、複数のリソースブロックペアで構成されるサブフレームを用いて、基地局と通信する端末であって、
第１の制御チャネル領域に配置される第１の制御チャネルまたは第２の制御チャネル領域に配置される第２の制御チャネルで送信される、前記端末に対する制御情報を受信する受信部を備え、
前記第２の制御チャネルのモニタリングが前記端末に設定されない場合、前記第１の制御チャネルの候補をモニタリングし、前記端末に対する制御情報を受信し、
前記第２の制御チャネルのモニタリングが前記端末に設定される場合、前記第１の制御チャネルの候補および前記第２の制御チャネルの候補をモニタリングし、前記端末に対する制御情報を受信し、
前記第１の制御チャネル領域は、前記サブフレームにおいて前記セルに固有の領域であり、前記第２の制御チャネル領域は、前記サブフレームにおいて前記端末に固有に設定される領域である、端末。
【請求項１８】
セルにおいて、複数のリソースブロックペアで構成されるサブフレームを用いて、基地局と通信する端末であって、
第１の制御チャネル領域に配置される第１の制御チャネルまたは第２の制御チャネル領域に配置される第２の制御チャネルで送信される、前記端末に対する制御情報を受信する受信部を備え、
前記第２の制御チャネルのモニタリングが前記端末に設定されない場合、前記第１の制御チャネルの候補をモニタリングし、前記端末に対する制御情報を受信し、
前記第２の制御チャネルのモニタリングが前記端末に設定される場合、前記第２の制御チャネルの候補をモニタリングし、前記端末に対する制御情報を受信し、
前記第１の制御チャネル領域は、前記サブフレームにおいて前記セルに固有の領域であり、前記第２の制御チャネル領域は、前記サブフレームにおいて前記端末に固有に設定される領域である、端末。
【請求項１９】
セルにおいて、複数のリソースブロックペアで構成されるサブフレームを用いて、端末と通信する基地局に用いられる無線通信方法であって、
前記端末に対する制御情報を、第１の制御チャネルが配置される第１の制御チャネル領域とは異なって設定される第２の制御チャネル領域に配置される第２の制御チャネルで送信し、
前記第１の制御チャネル領域は、前記サブフレームにおいて前記セルに固有の領域であり、前記第２の制御チャネル領域は、前記サブフレームにおいて前記端末に固有に設定される領域である、無線通信方法。
【請求項２０】
セルにおいて、複数のリソースブロックペアで構成されるサブフレームを用いて、基地局と通信する端末に用いられる無線通信方法であって、
第１の制御チャネルが配置される第１の制御チャネル領域とは異なって設定される第２の制御チャネル領域に配置される第２の制御チャネルをモニタリングし、前記第２の制御チャネルで送信される前記端末に対する制御情報を受信し、
前記第１の制御チャネル領域は、前記サブフレームにおいて前記セルに固有の領域であり、前記第２の制御チャネル領域は、前記サブフレームにおいて前記端末に固有に設定される領域である、無線通信方法。